(57)【特許請求の範囲】
【請求項１】
コンピュータ等によるデータ印字処理が可能な連続シートであり、少なくとも一方の面が剥離性を有する剥離面によって形成されている連続剥離シートと、シート基材の裏面側に粘着剤層を備え、表面側に印字・印刷のための表示面を備え、前記粘着剤層を介して前記連続剥離シートの剥離面側に所望の間隔をおいて規則的に貼り合わされたラベル体とからなり、前記連続剥離シートは、タブ体のためのタブ体領域を区画形成するべく前記連続剥離シートの他方の面側から一方の面側に達するダイカットラインを備えており、前記タブ体領域が、前記ラベル体の貼り合わせ領域と、前記ラベル体の貼り合わせ領域から外れたラベル体非貼り合わせ領域とにわたって連続したものからなり、前記ダイカットラインが、前記ラベル体の貼り合わせ領域から外れたラベル体非貼り合わせ領域側の一部において微小に繋がるダイカット止めを含むものからなり、前記ラベル体を前記連続剥離シートから剥離する際、前記ラベル体の裏面側に前記タブ体を前記粘着剤層を介して一体的に剥がし得るようになし、前記タブ体の一部分が前記ラベル体の外側に向けてのびるタブ部分を有するものであることを特徴とするタブ付き再剥離ラベル構造体。
【発明の詳細な説明】
【０００１】
【発明の属する技術分野】
この発明は、提供時には、剥離シートに対して粘着剤層を介して貼り合わされており、被着体に貼り合わせる際に剥離シートから剥がし取って使用するようなタイプのラベルにかかるものであって、特に、ラベルを被着体に貼り合わせて使用した後、このラベル体を再度剥離しようとする際、極めて容易に且つ確実に剥離し得るようになしたタブ付き再剥離ラベル構造体に関するものである。
【０００２】
【従来の技術】
周知のように、ラベルは、所望形状の紙などのシート材に対し、その裏面に粘着剤層を備えており、その表面に適宜情報を印刷処理、印字処理あるいは手記処理などによって書き込み可能に構成したものである。このラベルは、一般的には剥離シートに対して粘着剤層を介して貼り合わされており、被着体に貼り合わせる際に剥離シートから剥がし取って使用するものである。これらのラベルは、その使用目的に応じて予め特定の情報が印字処理される場合があり、コンピュータ装置などにおける連続印字処理システムに適合するように構成された連続印字処理ラベルとして提供される場合もある。
【０００３】
【発明が解決しようとする課題】
従来のラベルの大きな問題点は、その裏面側全面にわたって粘着剤層が設けてあるので、被着体に貼り合わせて使用した後、当該ラベルを被着体から剥がし取る際、全面的に貼り合わされているため、その剥がし取り作業が極めて困難であり、且つ確実に全面的に剥がし取ることができないという点にあった。
【０００４】
そこで、この発明は、従来のラベルにみられる上記する問題点を解消しようとするものであり、特に、ラベルを被着体に貼り合わせて使用した後、このラベル体を再度剥離しようとする際、極めて容易に且つ確実に剥離し得るようになしたタブ付き再剥離ラベル構造体を提供することにある。
【０００５】
【課題を解決するための手段】
この発明は、上記する目的を達成するにあたって、具体的には、コンピュータ等によるデータ印字処理が可能な連続シートであり、少なくとも一方の面が剥離性を有する剥離面によって形成されている連続剥離シートと、シート基材の裏面側に粘着剤層を備え、表面側に印字・印刷のための表示面を備え、前記粘着剤層を介して前記連続剥離シートの剥離面側に所望の間隔をおいて規則的に貼り合わされたラベル体とからなり、前記連続剥離シートは、タブ体のためのタブ体領域を区画形成するべく前記連続剥離シートの他方の面側から一方の面側に達するダイカットラインを備えており、前記タブ体領域が、前記ラベル体の貼り合わせ領域と、前記ラベル体の貼り合わせ領域から外れたラベル体非貼り合わせ領域とにわたって連続したものからなり、前記ダイカットラインが、前記ラベル体の貼り合わせ領域から外れたラベル体非貼り合わせ領域側の一部において微小に繋がるダイカット止めを含むものからなり、前記ラベル体を前記連続剥離シートから剥離する際、前記ラベル体の裏面側に前記タブ体を前記粘着剤層を介して一体的に剥がし得るようになし、前記タブ体の一部分が前記ラベル体の外側に向けてのびるタブ部分を有するものであることを特徴とするタブ付き再剥離ラベル構造体を構成する。
【０００７】
【実施例の説明】
以下、この発明になるタブ付き再剥離ラベル構造体について、図面に示す具体的な実施例にもとづいて詳細に説明する。
図１は、この発明になるタブ付き再剥離ラベル構造体にあって、連続フォームでなる具体的な実施例を概略的な斜視図で示すものあり、図２は、これを断面図で示すものであって、図２Ａは、図１におけるＡ−Ａ線に沿った断面を特に厚さ方向に拡大して示すＡ−Ａ線拡大断面図であり、図２Ｂは、連続剥離シートからラベルＲを剥離した状態を示すＡ−Ａ線拡大断面図であり、図３は、この発明になるタブ付き再剥離ラベル構造体の使用態様例を示すものであって、図３Ａは、連続剥離シートから剥離したラベルＲを被着体に貼り合わせた状態を示す概略的な斜視図であり、図３Ｂは、被着体に貼り合わせたラベルＲを剥がし取る状態を概略的な斜視図で示すものである。
【０００８】
この発明になるタブ付き再剥離ラベル構造体１は、図１に示すように、基本的には、連続剥離シート２と、ラベル体３とからなっている。この発明におい、前記連続剥離シート２は、コンピュータ装置等における連続印字処理システムに適合するように、その一例によれば、送り長さ方向に沿った両側にマージナルホール列４、４と、当該マージナルホール列４、４の内側に沿ったマージナルホール列切離ライン５、５と、送り方向に所定の間隔をおいて設けた横断ミシン目線６とを備えたものからなっている。前記連続剥離シート２は、少なくとも一方の面２ａが剥離性を有する剥離面によって形成されている。
【０００９】
一方、前記ラベル体３は、所望形状の紙などのシート材７に対し、その裏面７ａに粘着剤層８を備えており、その表面７ｂに適宜情報を印刷処理、印字処理あるいは手記処理などによって書き込み可能な表示面９を構成するものである。前記ラベル体３は、前記粘着剤層８を介して前記連続剥離シート２の剥離面２ａ側に所望の間隔をおいて規則的に貼り合わされている。
【００１０】
上記する構成において、前記連続剥離シート２は、他方の面２ｂ側からタブ体１０のためのタブ体領域１１を区画形成するダイカットライン１２が設けられている。前記ダイカットライン１２によって区画形成されるタブ体領域１１は、前記ラベル体３の貼り合わせ領域１１Ａと、前記ラベル体３の貼り合わせ領域から外れたラベル体非貼り合わせ領域１１Ｂとにわたって連続したものからなっている。
【００１１】
前記タブ体領域１１を区画形成するダイカットライン１２は、前記ラベル体３の貼り合わせ領域から外れたラベル体非貼り合わせ領域１１Ｂ側の一部において微小に繋がるダイカット止め１３を含むものであってもよい。
【００１２】
以上の構成になるタブ付き再剥離ラベル構造体１は、前記ラベル体３を前記連続剥離シート２から剥離する際、図２Ｂに示すように、前記ラベル体３の裏面側に前記粘着剤層８を介して前記タブ体１０を一体的に剥がし得るようになっており、前記タブ体１０の一部分、すなわち前記領域１１Ｂの部分が前記ラベル体３の外側に向けてのびるタブ部分ＴＰを形成するようになっている。
【００１３】
要するに、この発明になるタブ付き再剥離ラベル構造体１は、前記連続剥離シート２から前記ラベル体３を剥離すると、前記ラベル体３の裏面側に一部がラベル体３の外方にのびるタブ部分ＴＰを有するタブ体１０を一体的に備えたタブ付ラベルＲを得ることになる。
【００１４】
次いで、この発明になるタブ付き再剥離ラベル構造体１の使用態様について詳細に説明する。まず、使用に先立って、図２Ｂに示すようにしてタブ付ラベルＲを連続剥離シート２から剥がし取る。剥がし取ったタブ付ラベルＲは、図３Ａに示すように、その粘着剤層８を介して被着体Ｈの所望の箇所に貼り付けて使用される。ラベルとしての使用が済めば、図３Ｂに示すように、タブ付ラベルＲは、タブ体１０におけるタブ部分ＴＰを掴み、これを上方に引き上げることにより前記タブ付ラベルＲを前記被着体Ｈの面から容易に且つ確実に剥がし取ることができるようになっている。
【００１５】
【発明の効果】
以上の構成になるこの発明のタブ付き再剥離ラベル構造体は、構造が極めて簡単なものであって、既存の各種加工処理装置に対して変更なく適用することができるものであり、それらの点において製造が容易であり、かつ多量生産に適合するなど、経済的にも極めて有利に作用するものといえる。
【００１６】
さらに、この発明になるタブ付き再剥離ラベル構造体は、製作者側においては、ラベル表示面への情報処理をコンピュータ装置などの連続印字処理が可能であり、且つＮＩＰ印字処理適性に優れたものである点などと合わせて、連続多量処理が可能であり、その点においても極めて有利に作用するものといえる。
【００１７】
さらに、この発明になるタブ付き再剥離ラベル構造体は、タブ付ラベルＲを被着体Ｈに貼り合わせて使用した後、このタブ付ラベル体Ｒを再度剥がし取る際、タブ体１０におけるタブ部分ＴＰを掴み、これを上方に引き上げることにより前記被着体Ｈの面から容易に且つ確実に剥がし取ることができ、その点においても極めて有効に作用するものといえる。
【図面の簡単な説明】
【図１】図１は、この発明になるタブ付き再剥離ラベル構造体にあって、連続フォームでなる具体的な実施例を示す概略的な斜視図である。
【図２】図２Ａは、図１におけるＡ−Ａ線に沿った断面を特に厚さ方向に拡大して示す概略的なＡ−Ａ線拡大断面図であり、図２Ｂは、連続剥離シートからタブ付ラベルＲを剥離した状態を示すＡ−Ａ線拡大断面図である。
【図３】図３は、この発明になるタブ付き再剥離ラベル構造体の使用態様例を示すものであって、図３Ａは、連続剥離シートから剥離したラベルＲを被着体に貼り合わせた状態を示す概略的な斜視図であり、図３Ｂは、被着体に貼り合わせたラベルＲを剥がし取る状態を示す概略的な斜視図である。
【符号の説明】
１  タブ付き再剥離ラベル構造体
２  連続剥離シート
２ａ  連続剥離シートの剥離面
３  ラベル体
４、４  マージナルホール列
５、５  マージナルホール列切離ライン
６  横断ミシン目線
７  シート基材
８  粘着剤層
９  ラベル表示面
１０  タブ体
１１  タブ体領域
１１Ａ  タブ体領域中、ラベル体の貼り合わせ領域
１１Ｂ  タブ体領域中、ラベル体の非貼り合わせ領域
１２  ダイカットライン
１３  ダイカット止め
Ｒ  タブ付ラベル
ＴＰ  タブ部分
Ｈ  被着体
【図１】
0003645034.tif 000002
【図２】
0003645034.tif 000003
【図３】
0003645034.tif 000004